(57)【特許請求の範囲】
【請求項１】
支柱とビームを接合する防護柵継手構造であって、
支柱とビームの接合金具は、板状座金と、舌片付き座金と、回転止め座金及びボルトとからなり、
前記板状座金は、これが回転したときに、支柱または支柱に固定された部材に突き当たり回転不能とされる大きさで形成され、
前記舌片付き座金は、一端に板状座金の側辺に接する折り曲げ部と他の端部に折り曲げ可能な少なくとも一つの舌片を備えており、かつ前記少なくとも一つの舌片がボルト軸方向のボルト頭部側に位置するように折り曲げられて舌片によるストッパが形成され、
前記回転止め座金は、ボルト頭部に係合してその回転を規制する折り曲げ片を備え、かつ前記ストッパに係合可能なアームを備えてなる防護柵継手構造。
【請求項２】
支柱とビームを接合する防護柵継手構造であって、
支柱と、インナースリーブと、そのインナースリーブの外側に嵌合したビームを備え、
支柱の上端部にはブラケットが固設され、このブラケットにインナースリーブを内挿した前記ビームが載置され、
支柱のブラケットとビームとインナースリーブとを接合する接合部Ａと、ビームとインナースリーブとを接合する接合部Ｂの少なくとも一方の接合部を接合金具で接合してなり、
該接合金具は、ブラケットの外面またはビーム外面のいずれかの外面に配置される板状座金と、舌片付き座金と、回転止め座金及びボルトとからなり、
前記板状座金は、これが回転したときに、ビーム外面に配置される板状座金ではブラケットに、ブラケットの外面に配置される板状座金では支柱のウエブに、係合されて回転不能とされ、
前記舌片付き座金は、一端に板状座金の側辺に接する折り曲げ部と他の端部に折り曲げ可能な少なくとも一つの舌片を備えており、かつ前記少なくとも一つの舌片がボルト軸方向のボルト頭部側に位置するように折り曲げられて舌片によるストッパが形成され、
前記回転止め座金は、ボルト頭部に係合してその回転を規制する折り曲げ片を備え、かつ前記ストッパに係合可能なアームを備えてなる防護柵継手構造。
【請求項３】
請求項１または２の板状座金と舌片付き座金と、回転止め座金及びボルトからなる接合金具に代えて、接合金具は、板状座金と舌片付き座金と、ボルトとからなり、
板状座金の外面に舌片付き座金が配置され、
前記舌片付き座金は、一端に板状座金の側辺に接する折り曲げ部と他の端部に折り曲げ可能な舌片を備えており、
前記舌片付き座金における舌片をボルト頭部側の多角形外側面に近接または当接するように折り曲げてなる防護柵継手構造。
【請求項４】
請求項１または２の板状座金と舌片付き座金と、回転止め座金及びボルトとからなる接合金具に代えて、接合金具は、板状座金と回転止め座金とボルトとからなり、
前記板状座金は、回転したときに、ブラケットまたは支柱のウエブに係合されて回転不能とされ、
前記回転止め座金は、ボルト頭部の回転を規制する折り曲げ片を備えていると共に、一端に舌片を備えており、その舌片が板状座金の側片に近接または当接するように折り曲げられてなる防護柵継手構造。
【請求項５】
舌片付き座金に、折り曲げ可能な舌片が、間隔をおいて複数設けられ、かつ少なくとも一つの舌片がボルト軸方向のボルト頭部側に位置するように折り曲げられて舌片によるストッパが形成されてなる請求項１または２に記載の防護柵継手構造。
【請求項６】
防護柵の支柱を基礎に埋め込み固定されたアンカーボルトに接合金具により固定する防護柵の固定構造において、
接合金具は、板状座金と、舌片付き座金と、回転止め座金およびナットからなり、前記板状座金は、これが回転したときに、支柱または支柱に固定された部材に突き当たり回転不能とされる大きさで形成され、
前記舌片付き座金は、一端に板状座金の側辺に接する折り曲げ部と他の端部に折り曲げ可能な少なくとも一つの舌片を備えており、かつ前記少なくとも一つの舌片がナット側に位置するように折り曲げられて舌片によるストッパが形成され、
前記回転止め座金は、ナットに係合してその回り止めを規制する折り曲げ片を備え、かつ前記ストッパに係合可能なアームを備えてなる防護柵の固定構造。
【請求項７】
防護柵の支柱を基礎に埋め込み固定された雌ねじ金具に接合金具により固定する防護柵の固定構造において、
接合金具は、板状座金と、舌片付き座金と、回転止め座金およびボルトからなり、前記板状座金は、これが回転したときに、支柱または支柱に固定された部材に突き当たり回転不能とされる大きさで形成され、
前記舌片付き座金は、一端に板状座金の側辺に接する折り曲げ部と他の端部に折り曲げ可能な少なくとも一つの舌片を備えており、かつ前記少なくとも一つの舌片がボルト頭部側に位置するように折り曲げられて舌片によるストッパが形成され、
前記回転止め座金は、ボルト頭部に係合してその回り止めを規制する折り曲げ片を備え、かつ前記ストッパに係合可能なアームを備えてなる防護柵の固定構造。
【発明の詳細な説明】
【技術分野】
【０００１】
本発明は、防護柵における支柱とビームの継手接合構造や、支柱の固定のための固定構造に関する。
【背景技術】
【０００２】
従来、防護柵における継手構造の中でも、ボルトまたはナットの廻り止め機能を有する構造として、（１）支柱側のブラケットに矩形状凹部を設け、前記凹部に矩形状のナットを嵌合して、ナットの廻り止めを図るようにした構造が知られている。（例えば、特許文献１参照  実開昭６０−５０２１９号公報）。
【０００３】
また、（２）ビーム側に間隔をおいて凹部を設けて、前記凹部にナットを溶接により固定するようにした形態の構造も知られている（例えば特許文献２参照  実公昭６３−３８２６５号公報）。
【０００４】
また、（３）図１６に示すように、支柱１におけるブラケット２に、インナースリーブ２９を内装したビーム３を架設する場合に、ボルト４の弛み止めとして、ボルト頭部５と平ワッシャ６の間に、さらにスプリングワッシャ７を介在させて、ボルト４を締付ける際に、このスプリングワッシャ７の本体の段差部がなくなるまで（スプリング作用がなくなるまで）締付けることによって廻り止め機能を果たし、軸方向のスプリング作用部のずれ（段差）がなくなっていることが外観上わかる廻り止め機能を備えている形態も知られている。
【０００５】
また、部材間の締結構造として、（４）ワッシャーに係止フックを設けると共に、折り曲げ部を設けて、前記係止フックを締結物の側面に係止させ、折り曲げ部をボルト頭部側に折り曲げて、前記折り曲げ部により廻り止め機能をもたせる回り止めワッシャーを使用した部材相互間の締結構造も知られている（例えば、特許文献３参照  特開２００２−３９１４１号公報）。
【０００６】
また、防護柵における支柱の固定構造として、（５）前記支柱におけるベースプレートを、道路体近傍のコンクリート基礎に埋め込み固定の雌ねじ金具またはアンカーボルトに固定する固定構造として場合、ボルトまたはナットの弛み止めとして、ボルト頭部またはナットと平ワッシャの間に、さらにスプリングワッシャを介在させて、ボルトまたはナットを締付ける際に、このスプリングワッシャの本体の段差部がなくなるまで（スプリング作用がなくなるまで）締付けることによって廻り止め機能を果たし、軸方向のスプリング作用部のずれ（段差）がなくなっていることが外観上わかる廻り止め機能を備えている形態も知られている。
【特許文献１】実開昭６０−５０２１９号公報
【特許文献２】実公昭６３−３８２６５号公報
【特許文献３】特開２００２−３９１４１号公報
【発明の開示】
【発明が解決しようとする課題】
【０００７】
前記（１）および（２）従来の場合は、ブラケットまたはビーム側に特殊な加工が必要になるので、コストアップの要因になるという問題があり、また、前記（３）および（５）の場合には、スプリング作用がなくなるまで締め付けると、軸方向のスプリング部のずれ（段差）がなくなっていることが外観上わかるので、回り止め機能が働いていることが判別できるが、より簡単に外観上判別できる廻り止め機能を備えている形態が求められる。（４）の場合には、部材の上面と側面とが直角に外形状露出する形態では利用できるが、ほぼ筒状の部材となるビーム型の防護柵の継手構造あるいは平坦なベースプレート部分の防護柵の固定構造では適用できないという問題がある。
本発明は、前記の課題を有利に解決することができる防護柵継手構造および固定構造を提供することを目的とする。
【課題を解決するための手段】
【０００８】
前記の課題を有利に解決するために、第１発明の防護柵継手構造においては、支柱とビームを接合する防護柵継手構造であって、
支柱とビームの接合金具は、板状座金と、舌片付き座金と、回転止め座金及びボルトとからなり、
前記板状座金は、これが回転したときに、支柱または支柱に固定された部材に突き当たり回転不能とされる大きさで形成され、
前記舌片付き座金は、一端に板状座金の側辺に接する折り曲げ部と他の端部に折り曲げ可能な少なくとも一つの舌片を備えており、かつ前記少なくとも一つの舌片がボルト軸方向のボルト頭部側に位置するように折り曲げられて舌片によるストッパが形成され、
前記回転止め座金は、ボルト頭部に係合してその回転を規制する折り曲げ片を備え、かつ前記ストッパに係合可能なアームを備えてなる。
【０００９】
また、第２発明の防護柵継手構造では、
支柱とビームを接合する防護柵継手構造であって、
支柱と、インナースリーブと、そのインナースリーブの外側に嵌合したビームを備え、
支柱の上端部にはブラケットが固設され、このブラケットにインナースリーブを内挿した前記ビームが載置され、
支柱のブラケットとビームとインナースリーブとを接合する接合部Ａと、ビームとインナースリーブとを接合する接合部Ｂの少なくとも一方の接合部を接合金具で接合してなり、
該接合金具は、ブラケットの外面またはビーム外面のいずれかの外面に配置される板状座金と、舌片付き座金と、回転止め座金及びボルトとからなり、
前記板状座金は、これが回転したときに、ビーム外面に配置される板状座金ではブラケットに、ブラケットの外面に配置される板状座金では支柱のウエブに、係合されて回転不能とされ、
前記舌片付き座金は、一端に板状座金の側辺に接する折り曲げ部と他の端部に折り曲げ可能な少なくとも一つの舌片を備えており、かつ前記少なくとも一つの舌片がボルト軸方向のボルト頭部側に位置するように折り曲げられて舌片によるストッパが形成され、
前記回転止め座金は、ボルト頭部に係合してその回転を規制する折り曲げ片を備え、かつ前記ストッパに係合可能なアームを備えてなる。
【００１０】
また、第３発明では、第１発明または第２発明の防護柵継手構造において、板状座金と舌片付き座金と、回転止め座金及びボルトからなる接合金具に代えて、接合金具は、板状座金と舌片付き座金と、ボルトとからなり、
板状座金の外面に舌片付き座金が配置され、
前記舌片付き座金は、一端に板状座金の側辺に接する折り曲げ部と他の端部に折り曲げ可能な舌片を備えており、
前記舌片付き座金における舌片をボルト頭部側の多角形外側面に近接または当接するように折り曲げてなる。
【００１１】
また、第４発明の防護柵継手構造では、第１発明または第２発明の板状座金と舌片付き座金と、回転止め座金及びボルトとからなる接合金具に代えて、接合金具は、板状座金と回転止め座金とボルトとからなり、
前記板状座金は、回転したときに、ブラケットまたは支柱のウエブに係合されて回転不能とされ、
前記回転止め座金は、ボルト頭部の回転を規制する折り曲げ片を備えていると共に、一端に舌片を備えており、その舌片が板状座金の側片に近接または当接するように折り曲げられてなる。
【００１２】
また、第５発明では、第１発明または第２発明の防護柵継手構造において、舌片付き座金に、折り曲げ可能な舌片が、間隔をおいて複数設けられ、かつ少なくとも一つの舌片がボルト軸方向のボルト頭部側に位置するように折り曲げられて舌片によるストッパが形成されている。
【００１３】
また、第６発明の防護柵の固定構造においては、防護柵の支柱を基礎に埋め込み固定されたアンカーボルトに接合金具により固定する防護柵の固定構造において、
接合金具は、板状座金と、舌片付き座金と、回転止め座金およびナットからなり、前記板状座金は、これが回転したときに、支柱または支柱に固定された部材に突き当たり回転不能とされる大きさで形成され、
前記舌片付き座金は、一端に板状座金の側辺に接する折り曲げ部と他の端部に折り曲げ可能な少なくとも一つの舌片を備えており、かつ前記少なくとも一つの舌片がナット側に位置するように折り曲げられて舌片によるストッパが形成され、
前記回転止め座金は、ナットに係合してその回り止めを規制する折り曲げ片を備え、かつ前記ストッパに係合可能なアームを備えてなる。
【００１４】
また、第７発明の防護柵の固定構造においては、防護柵の支柱を基礎に埋め込み固定された雌ねじ金具に接合金具により固定する防護柵の固定構造において、
接合金具は、板状座金と、舌片付き座金と、回転止め座金およびボルトからなり、前記板状座金は、これが回転したときに、支柱または支柱に固定された部材に突き当たり回転不能とされる大きさで形成され、
前記舌片付き座金は、一端に板状座金の側辺に接する折り曲げ部と他の端部に折り曲げ可能な少なくとも一つの舌片を備えており、かつ前記少なくとも一つの舌片がボルト頭部側に位置するように折り曲げられて舌片によるストッパが形成され、
前記回転止め座金は、ボルト頭部に係合してその回り止めを規制する折り曲げ片を備え、かつ前記ストッパに係合可能なアームを備えてなることを特徴とする。
【発明の効果】
【００１５】
第１発明によると、支柱とビームとの接合金具に、板状座金と、舌片付き座金と、回転止め座金と、ボルトとからなる接合金具を使用して、板状座金を支柱または支柱に固定された部材に突き当たらせて係合させて、板状座金を回転不能にすることができる。また、板状座金に当接される舌片付き座金は摩擦により回転が防止されるばかりでなく、板状座金の側片に接する折り曲げ部を有する舌片付き座金であるので、積極的に舌片付き座金の回転を防止することができる。また、前記舌片付き座金には舌片を備えていると共に、前記舌片付き座金に当接する回転止め座金にはアームを備えているので、前記舌片をボルト軸方向のアーム側に折り曲げることによりストッパを形成して、アーム側が回転した場合に係合させて、回転止め座金の回転を防止することができ、その回転止め座金における折り曲げ片により回転を防止されているボルト頭部の廻り止めを果たして、ボルトの弛み止め機能を果たすことができる。
また、板状座金と、回転止め座金におけるアームと、舌片付き座金におけるストッパとは、ボルト頭部から側方に離れて外観に現れているので、これらが係合して廻り止め機能を果たす位置関係にあるか否か容易に判別することができ、また、ボルトを締め込んだ後、舌片付き座金における舌片を折り曲げてストッパを形成するだけで、これらが係合して廻り止め機能を果たす位置関係にあるか否か容易に判別することができ、これらのセッティング作業および管理作業が容易になる。
【００１６】
第２発明によると、支柱のブラケットとビームとインナースリーブとの接合部Ａ、またはビームとインナースリーブとの接合部Ｂの一方または両方の接合部に、板状座金と、舌片付き座金と、回転止め座金と、ボルトとからなる接合金具を使用して、板状座金をブラケットまたは支柱のウエブに係合させて板状座金を回転不能にすることができる。また、板状座金に当接される舌片付き座金は摩擦により回転が防止されるばかりでなく、板状座金の側片に接する折り曲げ部を有する舌片付き座金であるので、積極的に舌片付き座金の回転を防止することができる。また、前記舌片付き座金には舌片を備えていると共に、前記舌片付き座金に当接する回転止め座金にはアームを備えているので、前記舌片をボルト軸方向のアーム側に折り曲げることによりストッパを形成して、アーム側が回転した場合に係合させて、回転止め座金の回転を防止することができ、その回転止め座金における折り曲げ片により回転を防止されているボルト頭部の廻り止めを果たして、ボルトの弛み止め機能を果たすことができる。
また、板状座金と、回転止め座金におけるアームと、舌片付き座金におけるストッパとは、ボルト頭部から側方に離れて外観に現れているので、これらが係合して廻り止め機能を果たす位置関係にあるか否か容易に判別することができ、また、ボルトを締め込んだ後、舌片付き座金における舌片を折り曲げてストッパを形成するだけで、これらが係合して廻り止め機能を果たす位置関係にあるか否か容易に判別することができ、これらのセッティング作業および管理作業が容易になる。
【００１７】
第３発明によると、板状座金をブラケットまたは支柱のウエブに係合させて板状座金の回転不能にすることができる。また、板状座金に当接される舌片付き座金は摩擦により回転が防止されるばかりでなく、板状座金の側片に接する折り曲げ部を有する舌片付き座金であるので、積極的に舌片付き座金の回転を防止することができる。また、舌片付き座金には舌片を備えているので、前記舌片を適宜ボルト頭部側の多角形外側面に近接または当接するように折り曲げて、ボルトの弛み回転を防止することができる。
【００１８】
第４発明によると、板状座金をブラケットまたは支柱のウエブに係合させて板状座金の回転不能にすることができる。また、板状座金に圧着される回転止め座金は摩擦により回転が防止され、前記回転止め座金の舌片を板状座金の側辺に近接または当接するように折り曲げることにより、積極的に回転止め座金の回転を防止することができる。また、前記回転止め座金にボルト頭部下面が圧着されているので、摩擦により回転が防止され、しかも、回転止め座金における折り曲げ片にボルト頭部が係合して回転が防止されているので、ボルト自身の回転を防止することができるため、ボルト自身の回転によるボルトの弛みを防止することができる。
【００１９】
第５発明によると、折り曲げ可能な複数の舌片を備えているので、回転止め座金におけるアームが、舌片付き座金における一方の舌片に重なり、舌片の折り曲げが適当でない場合も、残りの他方の舌片を折り曲げてストッパを形成し、ボルトと共に回転止め座金のアームが回転しても、前記ストッパにアームを係合させて、ボルトの弛み回転を防止することができる。
【００２０】
第６発明によると、支柱と基礎に埋め込み固定されたアンカーボルトとの接合金具に、板状座金と、舌片付き座金と、回転止め座金と、ナットとからなる接合金具を使用して、板状座金を支柱または支柱に固定された部材に突き当たらせて係合させて、板状座金を回転不能にすることができる。また、板状座金に当接される舌片付き座金は摩擦により回転が防止されるばかりでなく、板状座金の側片に接する折り曲げ部を有する舌片付き座金であるので、積極的に舌片付き座金の回転を防止することができる。また、前記舌片付き座金には舌片を備えていると共に、前記舌片付き座金に当接する回転止め座金にはアームを備えているので、前記舌片をボルト軸方向のアーム側に折り曲げることによりストッパを形成して、アーム側が回転した場合に係合させて、回転止め座金の回転を防止することができ、その回転止め座金における折り曲げ片により回転を防止されているナットの廻り止めを果たして、ナットの弛み止め機能を果たすことができる。
したがって、防護柵の支柱を基礎に確実に固定することができ、防護柵の支柱の固定手段の信頼性のより高い固定構造とすることができる。
また、板状座金と、回転止め座金におけるアームと、舌片付き座金におけるストッパとは、ナットから側方に離れて外観に現れているので、これらが係合して廻り止め機能を果たす位置関係にあるか否か容易に判別することができ、また、ナットを締め込んだ後、舌片付き座金における舌片を折り曲げてストッパを形成するだけで、これらが係合して廻り止め機能を果たす位置関係にあるか否か容易に判別することができ、これらのセッティング作業および管理作業が容易になる。
【００２１】
第７発明によると、支柱と基礎に埋め込み固定された雌ねじ金具との接合金具に、板状座金と、舌片付き座金と、回転止め座金と、ボルトとからなる接合金具を使用して、板状座金を支柱または支柱に固定された部材に突き当たらせて係合させて、板状座金を回転不能にすることができる。また、板状座金に当接される舌片付き座金は摩擦により回転が防止されるばかりでなく、板状座金の側片に接する折り曲げ部を有する舌片付き座金であるので、積極的に舌片付き座金の回転を防止することができる。また、前記舌片付き座金には舌片を備えていると共に、前記舌片付き座金に当接する回転止め座金にはアームを備えているので、前記舌片をボルト軸方向のアーム側に折り曲げることによりストッパを形成して、アーム側が回転した場合に係合させて、回転止め座金の回転を防止することができ、その回転止め座金における折り曲げ片により回転を防止されているボルト頭部の廻り止めを果たして、ボルトの弛み止め機能を果たすことができる。
したがって、防護柵の支柱を基礎に確実に固定することができ、防護柵の支柱の固定手段の信頼性のより高い固定構造とすることができる。
また、板状座金と、回転止め座金におけるアームと、舌片付き座金におけるストッパとは、ボルト頭部から側方に離れて外観に現れているので、これらが係合して廻り止め機能を果たす位置関係にあるか否か容易に判別することができ、また、ボルトを締め込んだ後、舌片付き座金における舌片を折り曲げてストッパを形成するだけで、これらが係合して廻り止め機能を果たす位置関係にあるか否か容易に判別することができ、これらのセッティング作業および管理作業が容易になる。
【発明を実施するための最良の形態】
【００２２】
次に、本発明を図示の実施形態に基づいて詳細に説明する。
図１〜図７は本発明の一実施形態の橋梁等に使用される防護柵継手構造を示し、図８は前記防護柵継手構造に使用される一形態の回転止め座金の部品図を、図９は舌片付き座金の部品図を、図１０は、角座金からなる板状座金を示すものである。
【００２３】
まず、本発明において使用する主要な部品について説明する。図８は、鋼製等の回転止め座金８を示すものであって、ボルト軸部挿通孔９を有する本体１０の外周側に、等角度間隔おいて本体１０から起立された、ボルト頭部外側面に係合する回り止め片１１が複数（図示の場合は、１２０°間隔をおいて３つ）設けられ、前記各回り止め片１１の内面側によって形成された溝内面に六角ボルト４の頭部５が配置され、前記各回り止め片１１の内面側が、図１および図５に示すように、六角ボルト４等のボルト頭部５の多角形外側面１２に近接または係合されるように構成されている。
なお、回転止め金具８の回り止め１１の内面側に内向きに突出する凸状の突起（図示を省略）を設けて前記外側面１２に圧着するように係合させてもよい。前記の突起により、ボルト頭部がより密接に係合され、回転止め金具８およびボルト４の一体性が向上し、ボルト４が抜けにくくなり、作業性も向上する。
【００２４】
前記本体１０における一対の回り止め片１１間において、本体１０と同面状で、本体１０の半径方向外側に延長するように、廻り止め用のアーム１３が設けられている。この廻り止め用のアーム１３は、後記する舌片付き座金１４における折り曲げ形成されたストッパ２９に係合されるようにされる部分である。
【００２５】
図９は、前記回転止め座金８の下側に配置される、鋼製等の舌片付き座金１４を示すものであって、この舌片付き座金１４は、前記回転止め座金８を支承する座金支承部１５を有しており、その座金支承部１５には、ボルト軸部挿通孔１７が設けられていると共に、座金支承部１５の外周側には、座金支承部１５と同面状で、前記各ボルト軸部挿通孔１７の中心から半径方向外側に突出する複数の舌片１８が設けられている。座金支承部１５に一体に設けられた前記の各舌片１８は、座金支承部１５において対称位置に設けられて、舌片付き座金１４の製作を容易にしている。
【００２６】
また、前記舌片付き座金１４における座金支承部１５から半径方向外側に離れた位置において、座金支承部１５と一体に連設されていると共に直角に折り曲げられて形成された回転防止用の折り曲げ部３４が設けられ、その前記回転防止用の折り曲げ部３４の突出寸法は、後記する板状座金３０の板厚寸法よりも大きく設定され、前記折り曲げ部３４に一体に直角に折り曲げられて形成された係止部３７が座金支承部１５と平行にボルト軸部挿通孔１７に重ならないように設けられている。前記係止部３７と折り曲げ部３４が共同して板状座金３０に係合して、前記舌片付き座金１４の回転を防止している。なお、前記の折り曲げ部３４および係止部３７を対称に設けて板状座金３０の両側に係止するようにしてもよい。前記の実施形態では、前記の折り曲げ部３４および係止部３７は、一対の対称に設けられた舌片１８の中心軸線と平行に設けられている。ボルト軸部挿通孔１７の中心から半径方向の前記の回転防止用の折り曲げ部３４の内側までの寸法は、板状座金３０におけるボルト軸部挿通孔３２の中心から側辺３５までの距離に等しいか、若干大きく設定されて、前記舌片付き座金１４における折り曲げ部３４の内側が板状座金３０の側辺（側面）３５に係合することにより、舌片付き座金１４の回転が、板状座金３０により規制されるように構成されている。
【００２７】
また、各座金支承部１５に複数の舌片１８を周方向に偏心した位置に複数設ける理由は、一方の舌片１８に、前記回転止め座金８における廻り止め用のアーム１３が重なるようになった場合に、前記一方の舌片１８を折り曲げることができなくなるため、複数の舌片１８を設けて、いずれか他方の舌片１８を前記廻り止め用のアーム１３と重ならないようにし、その他方の舌片１８を折り曲げ可能にするためである。ただし、ボルトの締め込みを強くして、前記各舌片１８からアーム１３が離れた位置とすることも可能であり、このような場合には、１つの舌片１８でもよい。
【００２８】
このように舌片１８をアーム１３の幅以上の間隔をおいて複数設けることにより、回転止め座金８における廻り止め用のアーム１３が、ボルトと共に締め付けるように回転されて、いずれの位置に停止しても、一つの舌片１８をボルト頭部側に起立させるように折り曲げて、振動等によるボルト４の弛みが生じた場合に、ボルト４と共に廻り止め用のアーム１３が回転した場合でも、前記廻り止め用のアーム１３が、起立された他方の舌片１８に係合し、廻り止め用のアーム１３の回転が阻止され、回転止め座金８を介してこれに回転不能に係合するボルト４の回転を防止し、ボルト４の弛み止めを図ることが可能にされている。
【００２９】
図１０は、鋼板製の角座金からなる板状座金３０を示すものであって、後記するビーム３の外面またはブラケット２の外面に当接されて使用され、縦断面で断面円弧状の座金本体３１の中央部にボルト軸部挿通用透孔３２からなる接合穴が設けられ、座金本体３１の半径方向内側の円弧状内面３３の曲率半径は、ブラケット２またはビーム３の外面の曲率半径よりも小さくされ、ボルト４により板状座金３０をその外側からブラケット２またはビーム３の外面に向って圧着した場合に、前記座金本体３１が弾性変形してブラケット２またはビーム３の外面に密着される。また、前記の板状座金３０の板厚寸法は、ブラケット２の板厚寸法よりも小さくされて、板状座金３０が弾性変形した場合に、ブラケット２が変形することなく、その外面に当接可能にされている。
【００３０】
また、前記板状座金３０が湾曲しているため、ボルト４を締め込んで板状座金３０を弾性変形させた場合、前記の板状座金３０の弾性変形している状態のばね作用により、ボルト４の頭部が圧着する作用があるので、これによりボルト４の弛み止め作用を有している。
【００３１】
次に、図１〜図７を参照して、図１０に示す板状座金３０と、図８に示す前記の回転止め座金８と、図９に示す前記の舌片付き座金１４とを使用した本発明の防護柵継手構造を説明する。なお、図７（Ａ）および（Ｂ）に、回転止め座金におけるアームが舌片付き座金における舌片と重ならない位置である場合の図１（Ａ）（Ｂ）に相当する図が示されている。
【００３２】
橋梁等の道路側部に沿って、断面Ｈ形の鋼製の支柱１が間隔をおいて設置され、その支柱１の上端部は、道路側に向って位置する内側フランジ２０の上端部が所定の低レベル位置に配置されると共に、ウエブ２１が円弧状に切り欠され、かつ横向きに屈曲するように道路反対側に位置する外側フランジ２２が設けられて、これらに支承されるように道路側に向って窪む、断面円弧状の鋼製のブラケット２の背面側が溶接Ｗ等により固設されている。
【００３３】
前記ブラケット２には、支柱１のフランジ２０，２２とウエブ２１により形成される両側の溝内に位置するように、ボルト軸部挿通用孔からなる接合穴２３がそれぞれ一つ設けられている。
【００３４】
前記ブラケット２には、端部にインナースリーブ１９を内挿した直列配置の２本の各ビーム３の端部が載置され、前記インナースリーブ１９には、部材長手方向に間隔をおいて、部材軸方に２つづつ合計４つのボルト接合穴（第１の接合穴が２つと、第２の接合穴が２つ）が間隔をおいて直列に設けられている。図４に示すように、前記インナースリーブ１９の軸方向内側に配置されている各接合穴（第１の接合穴）２４は、それぞれ支柱１の左右両側の溝に対応した位置に設けられていると共に、ブラケット２の接合穴２３に対応した位置に配置されて、これらの接合穴が利用されてボルトにより接合される接合部Ａとされ、かつ各ビーム３の軸方向外側に位置する接合穴（第１の接合穴）２６に対応する位置に設けられ、前記インナースリーブ１９の軸方向外側の２つの接合穴２５は、軸方向のブラケット２の外側に位置し、インナースリーブ１９の接合穴２５と各ビーム３の接合穴（第２の接合穴）２７が同心に配置されるようにされて、これらの接合穴が利用されてボルトにより接合される接合部Bとされる。
【００３５】
前記インナースリーブ１９の各接合穴は、図示のように、ボルト軸部挿通孔およびこれと同心状に内面に固定されたナット２８の雌ねじ孔により構成されるか、前記インナースリーブ１９に直接設けられた雌ねじ孔（図示を省略した）により構成される。
【００３６】
前記のように、インナースリーブ１９と各ビーム３の各接合穴２４（２５），２６（２７）が配置された状態で、前記ブラケット２に配置され、支柱１の左右両側において、それぞれ板状座金３０および舌片付き座金１４の穴に、回転止め座金８を装着した六角ボルト４の軸部が挿通された状態で、板状座金３０をブラケット２またはビーム３の円弧状外面に沿って配置するようにして、前記各六角ボルト４の軸部３６が各接合孔に挿通されると共に、インナースリーブ１９の接合穴２４（２５）を構成するナット２８の雌ねじ孔にねじ込まれて、ブラケット２とインナースリーブ１９と各ビーム３とが一体化される。なお、インナースリーブ１９と各ビーム３とを、板状座金３０および舌片付き座金１４ならびに回転止め座金８を装着した六角ボルト４をナット２８の雌ねじ孔にねじ込んで一体化する。
【００３７】
前記六角ボルト４を回動するときには、その六角頭部に装着されている回り止め片１１の外側から回動工具により回動されて締め込まれ、所定の値に締め込まれた状態で、前記回転止め座金８における廻り止め用のアーム１３から外れた位置となっている、前記舌片付き座金１４における少なくとも一つの舌片１８を、ボルト軸方向の頭部側に位置するように折り曲げる。
【００３８】
前記のように、少なくと一つの舌片１８を折り曲げることにより、廻り止め用のアーム１３の回転可能な範囲において交差する位置に、舌片１８によるストッパ２９が形成される。
【００３９】
前記のように、舌片１８によりストッパ２９が形成されることにより、回転止め座金８と共にボルト４が回転した場合には、廻り止め用のアーム１３がストッパ２９に係合して回転が阻止され、ボルト４の回転による弛みが防止される。前記本発明のように、アーム１３とストッパ２９が外観上明確に現れているため、ボルトの弛み止め機能が作用していることを簡単に点検することができるので、管理が容易である。また、板状座金３０自体が回転しようとした時は、図５（ａ）また（ｂ）に示すように、ビーム３の外側面においてブラケット２と同面上に設置される板状座金３０の中心からブラケット２または支柱１のウエブ２１側面までの距離よりも、板状座金３０の中心から板状座金３０の上下方向の端部までの長さ寸法が長いため、板状座金３０のコーナー部をブラケット２の側端部または支柱１のウエブ２１側面に当接させて、前記板状座金３０の回転を防止し、これにより板状座金３０の回転によるボルト４の弛みを防止することができる。
【００４０】
前記実施形態では、舌片付き座金１４における各座金支承部１５に２つの舌片１８を設けるようにしているが、本発明を実施する場合、各座金支承部１５に１つの舌片１８を設けるようにしてもよい。この場合には、適宜回転止め座金８におけるアーム１３を前記舌片１８から外れた位置に設定すればよい。また、舌片１８を等角度等の間隔をおいて３つ以上設けて、アーム１３と舌片１８によるストッパ２９を早期に係合して、ボルト４の弛み止めを図るようにしてもよい。
【００４１】
また、本発明実施する場合、舌片付き座金における舌片と、回転止め座金におけるアームとは、いずれか一方が折り曲げられてストッパ機能を果たすようになればよいので、舌片付き座金における舌片の折り曲げによるストッパに代えて、折り曲げられない舌片によるストッパとされていてもよい。舌片付き座金における舌片を外側に折り曲げてもよいが、回転止め座金におけるアームを内向きに折り曲げてもよい。舌片の折り曲げにより、外向きに突出部が生じる場合に比べて、内向きに突出部が隠れるようにした方が、美観上好ましいが、保守・点検あるいは防錆塗装上は、舌片の外向き折り曲げが有利である。
【００４２】
次に、図１１から図１５を参照して、前記実施形態と同様な接合金具を使用し、防護柵における支柱１を道路橋における基礎コンクリート４０に埋め込み固定されたアンカーボルト４１（図１１の場合）または雌ねじ金具４２（図１４の場合）に固定する固定構造について説明する。
【００４３】
図１１〜図１３は、防護柵における支柱１を、基礎コンクリート４０に埋め込み固定されたアンカーボルト４１に接合金具により固定する防護柵の固定構造の形態を示したもので、接合金具は、板状座金３０と、舌片付き座金１４と、回転止め座金８およびナット４３から構成している。図２に示す実施形態のボルト４がナット４３に置き換えられている。
【００４４】
コンクリート製基礎４０に、前後方向および左右方向に間隔をおいて複数のアンカーボルト４１の下部が埋め込み固定され、各アンカーボルト４１に、防護柵における支柱１のベースプレート４４のボルト挿通孔がそれぞれ挿通されるように、支柱１が基礎コンクリート４０上に載置され、ベースプレート４４の上面に、板状座金３０と、舌片付き座金１１と、回転止め座金８およびナット４３が配置されている。前記の板状座金３０と、舌片付き座金１４と、回転止め座金８とは、前記実施形態と同じ構成であるので、同様な符号を付している。回転止め座金８における各回転止め片１１を六角ナット４３の多角形外側面１２に係合して、回転止め座金８を前記ナット４３に装着してこれらをアンカーボルト４１にねじ込み装着するようにすればよい。
【００４５】
この形態では、前記の板状座金３０からなる板状座金３０は、これが回転した場合には、支柱１の内側フランジ２０あるいは外側フランジ２２あるいはウエブ２１あるいは、隣接して支柱１のベースプレート４４に固定される板状座金３０等、支柱に固定される部材に突き当たり、その回転が防止され、板状座金３０の回転の防止により、ナット４３の弛み回転を防止している。
【００４６】
この形態では、アンカーボルト４１にねじ込み固定される部材がナット４３であるために、このナット４３の回り止めを確実に図るようにしている。防護柵の支柱１の固定構造としてより信頼性の高い固定構造とすることができる。
【００４７】
図１４および図１５の形態では、防護柵における支柱１を道路橋における基礎コンクリート４０に埋め込み固定された雌ねじ金具４２に固定する形態が示されている。雌ねじ金具４２は基礎コンクリート４０に埋め込み固定されたアンカーボルト４１の上部に雌ねじ金具４２の下部がねじ込み固定され、必要に応じ溶接により固定されている。この形態では、接合金具は、板状座金３０と、舌片付き座金１４と、回転止め座金８およびボルト４から構成している。
【００４８】
コンクリート製基礎４０に、前後方向および左右方向に間隔をおいて複数の雌ねじ金具４２が埋め込み固定され、各雌ねじ金具４２に、防護柵における支柱１のベースプレート４４のボルト挿通孔がそれぞれ位置するように、支柱１がコンクリート基礎４０上に載置され、ベースプレート４４の上面に、板状座金３０と、舌片付き座金１４と、回転止め座金８およびボルト４が配置されている。前記の板状座金３０と、舌片付き座金１４と、回転止め座金８およびボルト４は図２に示す前記実施形態と同様な構成であるので、同様な符号を付している。各ボルト４が、雌ねじ金具４２にねじ込まれて、ベースプレート４４をコンクリート基礎４０に固定している以外は、図２に示す形態と同様である。
【００４９】
この形態でも、図１１に示す形態と同様に、前記の板状座金３０からなる板状座金３０は、これが回転した場合には、支柱１の内側フランジ２０あるいは外側フランジ２２あるいはウエブ２１あるいは、支柱１のベースプレート４４に固定される隣接する板状座金３０等、支柱に固定される部材に突き当たり、その回転が防止され、板状座金３０の回転の防止により、しいては、ボルト４の弛み回転を防止している。
【００５０】
この形態では、雌ねじ金具４２にねじ込み固定される部材がボルト４であるために、このボルト４の回り止めを確実に図るようにしている。防護柵の支柱１を固定するボルト４の緩みが生じない信頼性の高い固定構造とすることができる。
【００５１】
次に、前記実施形態の変形形態について説明する。
【００５２】
（変形形態１）
前記各実施形態において、接合金具として、板状座金３０と、舌片付き座金１４と、回転止め座金８と、ボルト４（またはナット４３）とを備えた接合金具としている場合、前記の回転止め座金８または舌片付き座金１４のいずれか一方を省略するようにしてもよい。
【００５３】
例えば、図示を省略するが、板状座金３０と、舌片付き座金１４と、ボルト４（またはナット４３）の３つの部品からなる接合金具としてもよく、この場合には、板状座金３０に舌片付き座金１４が直接当接され、舌片付き座金１４における舌片１８をボルト頭部側の六角頭部（多角形外側面）の一辺（一面）に近接または当接するように折り曲げて、ボルト４（またはナット４３）の回転を防止することができる。
【００５４】
（変形形態２）
また、他の変形形態として、（２）板状座金３０と、回転止め座金８と、ボルト４（またはナット４３）の３つの部品からなる接合金具としてもよく、この場合には、板状座金３０に回転止め座金８が直接当接され、回転止め座金８におけるアーム１３を板状座金３０の側面に係合するように折り曲げて、回転止め座金８と板状座金３０相互間の回転を防止するようにしてもよい。
【００５５】
なお、本発明では、回転止め座金８とボルト４（またはナット４３）の頭部等の圧着面材の摩擦により廻り止め作用が当然あり、回転止め座金８とボルト４（またはナット４３）の頭部等の当接面を粗面として、ボルト（またはナット４３）の廻り止めを図るようにしてもよい。
【００５６】
また、本発明を実施する場合、ボルト頭部（またはナット４３）と回転止め座金との非回転の係合関係は、前記実施形態のように回転止め座金の折り曲げ片としてもよいが、これに代えて、ボルト頭部（またはナット４３）に係合し、互いに相対的に回転しないような六角凹部等の非回転係合部を回転止め座金に設け、前記非回転係合部と同心状に、ボルト軸部挿通孔とを設けるようにしてもよい。
【００５７】
なお、本発明の防護柵継手構造および固定構造は、新設の防護柵における継手構造または固定構造ばかりでなく、既存の防護柵における継手構造あるいは固定構造に適用してもよい。
【図面の簡単な説明】
【００５８】
【図１】（ａ）は本発明の一実施形態の防護柵継手構造を示す一部縦断背面図、（ｂ）はその一部拡大図である。
【図２】（ａ）は図１に示す防護柵継手構造の縦断側面図、（ｂ）は（ａ）の一部を拡大して示す図である。
【図３】（Ａ）および（Ｂ）は、図１に示す防護柵継手構造におけるボルト等を分解して示す一部分解側面図および斜視図である。
【図４】インナースリーブとブラケットとビームとの関係の一部を示す横断平面図である。
【図５】板状座金に側辺の係合する折り曲げ部を有する舌片付き座金と、その両端部に設けられた上下の一方の舌片を起立し、回転止め座金が回転した場合に、そのアームが起立された舌片に係合し、回転が防止されることを示す斜視図である。
【図６】（ａ）はビーム側に配置された板状座金が回転した場合にブラケットに係合して、その回転が防止されることを説明するための説明図、（ｂ）は板状座金が支柱のウエブに係合して、その回転が防止されることを説明するための説明図である。
【図７】（Ａ）および（Ｂ）は、回転止め座金におけるアームが舌片付き座金における舌片と重ならない位置である場合の図１（Ａ）（Ｂ）に相当する図である。
【図８】回転止め座金を示すものであって、（ａ）は正面図、（ｂ）は底面図である。
【図９】舌片付き座金を示すものであって、（ａ）は正面図、（ｂ）は平面図である。
【図１０】板状座金を示すものであって、（ａ）は側面図、（ｂ）は正面図である。
【図１１】防護柵における支柱の固定構造の一形態を示す縦断側面図である。
【図１２】図１１の一部横断平面図である。
【図１３】コンクリート基礎に埋め込み固定されたアンカーボルトと支柱との関係を示す概略斜視図である。
【図１４】防護柵における支柱の固定構造の他の形態を示す縦断側面図である。
【図１５】図１４の一部横断平面図である。
【図１６】従来の防護柵継手構造を示す一部分解斜視図である。
【符号の説明】
【００５９】
１   支柱
２  ブラケット
３  ビーム
４  ボルト
５  ボルト頭部
６  平ワッシャ
７  スプリングワッシャ
８  回転止め座金
９  ボルト軸部挿通孔
１０  本体
１１  回転止め片
１２  多角形外側面
１３  廻り止め用のアーム
１４  舌片付き座金
１５  座金支承部
１６  連結板
１７  ボルト軸部挿通孔
１８  舌片
１９  インナースリーブ
２０  内側フランジ
２１  ウエブ
２２  外側フランジ
２３  ブラケットの接合穴
２４  インナースリーブの第１の接合穴
２５  インナースリーブの第２の接合穴
２６  ビームの第１の接合穴
２７  ビームの第２の接合穴
２８  ナット
２９  ストッパ
３０  板状座金
３１  座金本体
３２  ボルト軸部挿通用孔
３３  円弧状内面
３４  回転防止用の折り曲げ部
３５  側辺（側面）
３６  軸部
３７  係止部
４０  基礎コンクリート
４１  アンカーボルト
４２  雌ねじ金具
４３  ナット
４４  ベースプレート
【図１】
0004598618.tif 000002
【図２】
0004598618.tif 000003
【図３】
0004598618.tif 000004
【図４】
0004598618.tif 000005
【図５】
0004598618.tif 000006
【図６】
0004598618.tif 000007
【図７】
0004598618.tif 000008
【図８】
0004598618.tif 000009
【図９】
0004598618.tif 000010
【図１０】
0004598618.tif 000011
【図１１】
0004598618.tif 000012
【図１２】
0004598618.tif 000013
【図１３】
0004598618.tif 000014
【図１４】
0004598618.tif 000015
【図１５】
0004598618.tif 000016
【図１６】
0004598618.tif 000017